(57)【要約】【課題】効率がよく、故障に強いヒータ制御方式を備えた厨芥処理機を提供することを目的とする。【解決手段】同系統のヒータ（１ａ〜１ｆ）を３の倍数本有し、前記３の倍数本のヒータ（１ａ〜１ｆ）をデルタ結線することにより、３相電源のＵ、Ｖ、Ｗ各相間に同本数のヒータを配置した構成を形成し、前記ヒータ（１ａ〜１ｆ）への電力供給ラインの各々に電力供給の制御を行うための駆動手段（５ａ〜５ｃを個別に設けたもので、１本でもヒータが正常である限りはそのヒータに通電を行うことが可能となり、効率が良く故障に強いヒータ制御を行えるものである。【選択図】  図１
2004249224.tif 000002
【特許請求の範囲】
【請求項１】
同系統のヒータを３の倍数本有し、前記３の倍数本のヒータをデルタ結線することにより、３相電源のＵ、Ｖ、Ｗ各相間に同本数のヒータを配置した構成を形成し、前記ヒータへの電力供給ラインの各々に電力供給の制御を行うための駆動手段を個別に設けた厨芥処理機。
【請求項２】
同系統のヒータを３の倍数本有し、前記３の倍数本のヒータをデルタ結線することにより、３相電源のＵ、Ｖ、Ｗ各相間に同本数のヒータを配置した構成を形成し、前記ヒータへの電力供給ラインのうちの２本に、電力供給の制御を行うための駆動手段を個別に設けた厨芥処理機。
【請求項３】
デルタ結線したヒータと電力供給ラインの一部とをひとつのユニットとして本体から着脱するための前記ユニットと前記本体との接合部を、前記デルタ結線したヒータと前記ヒータへの電力供給の制御を行う駆動手段との間に設けた請求項１または２記載の厨芥処理機。
【請求項４】
ヒータへの電源供給の制御を行う３つの駆動手段のうち、少なくとも２つ以上の駆動手段にかかる電圧交流波形のゼロクロス点を直接又は間接的に検出し、各駆動手段をそれら自体にかかる電圧のゼロクロス点でオンするように制御する請求項１または２記載の厨芥処理機。
【請求項５】
ヒータへの電源供給の制御を行う３つの駆動手段のうちの１つにかかる電圧交流波形のゼロクロスポイントを直接又は間接的に検出し、前記駆動手段を前記ゼロクロス点でオンするとともに、前記駆動手段を前記ゼロクロス点でオンしてからの時間を計時し、前記計時した経過時間によって、残りの駆動手段のオンタイミングを決定する請求項１または２記載の厨芥処理機。
【発明の詳細な説明】
【０００１】
【発明の属する技術分野】
本発明は三相電源を用いる厨芥処理機に関するもので、特にそのヒータ制御構成に関するものである。
【０００２】
【従来の技術】
従来の三相機器のヒータ制御装置の構成は、ヒータをスター結線することで、ヒータを各相毎に設けるとともに、各相電力をヒータに供給するための駆動手段が各相毎に設けられており、各相電圧の交流波形のゼロクロスポイントで前記駆動手段をオンするように構成されている。尚、各駆動手段をゼロクロスでオンするのは、雑音の発生を抑制し、電源をきれいな状態に保つためである（例えば、特許文献１参照）。
【０００３】
【特許文献１】
特開平１０−１７２７１９号公報
【０００４】
【発明が解決しようとする課題】
しかしながら前記従来の構成においては、ヒータをスター結線した場合、仮に１つのヒータが断線した際には、残る２つのヒータへの電力供給ラインが二相に減ってしまうし、仮に２つのヒータが断線した際には、残る１つのヒータへの電力供給は行えなくなってしまい、効率が悪いという課題があった。
【０００５】
本発明は、前記従来の課題を解決するもので、効率がよく、故障に強いヒータ制御方式を備えた厨芥処理機を提供することを目的とする。
【０００６】
【課題を解決するための手段】
上記従来の課題を解決するために本発明は、同系統のヒータを３の倍数本有し、前記３の倍数本のヒータをデルタ結線することにより、３相電源のＵ、Ｖ、Ｗ各相間に同本数のヒータを配置した構成を形成し、前記ヒータへの電力供給ラインの各々に電力供給の制御を行うための駆動手段を個別に設けたもので、１本でもヒータが正常である限りはそのヒータに通電を行うことが可能となり、効率が良く故障に強いヒータ制御を行えるものである。
【０００７】
【発明の実施の形態】
請求項１に記載の発明は、同系統のヒータを３の倍数本有し、前記３の倍数本のヒータをデルタ結線することにより、３相電源のＵ、Ｖ、Ｗ各相間に同本数のヒータを配置した構成を形成し、前記ヒータへの電力供給ラインの各々に電力供給の制御を行うための駆動手段を個別に設けたもので、１本でもヒータが正常である限りはそのヒータに通電を行うことが可能となり、効率が良く故障に強いヒータ制御を行えるものである。
【０００８】
請求項２に記載の発明は、同系統のヒータを３の倍数本有し、前記３の倍数本のヒータをデルタ結線することにより、３相電源のＵ、Ｖ、Ｗ各相間に同本数のヒータを配置した構成を形成し、前記ヒータへの電力供給ラインのうちの２本に、電力供給の制御を行うための駆動手段を個別に設けたもので、安価な構成で効率が良く故障に強いヒータ制御を行えるものである。
【０００９】
請求項３に記載の発明は、デルタ結線したヒータと電力供給ラインの一部とをひとつのユニットとして本体から着脱するための前記ユニットと前記本体との接合部を、前記デルタ結線したヒータと前記ヒータへの電力供給の制御を行う駆動手段との間に設けたもので、ヒータの着脱を容易にし、組み立て性・メンテナンス性が向上するものである。
【００１０】
請求項４に記載の発明は、ヒータへの電源供給の制御を行う３つの駆動手段のうち、少なくとも２つ以上の駆動手段にかかる電圧交流波形のゼロクロス点を直接又は間接的に検出し、各駆動手段をそれら自体にかかる電圧のゼロクロス点でオンするように制御するもので、雑音の発生を抑え、電源をきれいな状態に保ちつつ効率の良いヒータ制御が行えるものである。
【００１１】
請求項５に記載の発明は、ヒータへの電源供給の制御を行う３つの駆動手段のうちの１つにかかる電圧交流波形のゼロクロスポイントを直接又は間接的に検出し、前記駆動手段を前記ゼロクロス点でオンするとともに、前記駆動手段を前記ゼロクロス点でオンしてからの時間を計時し、前記計時した経過時間によって、残りの駆動手段のオンタイミングを決定するもので、低コストで、雑音の発生を抑え、電源をきれいな状態に保ちつつ効率の良いヒータ制御が行えるものである。
【００１２】
【実施例】
以下、本発明の一実施例について図１及び図２を参照しながら説明する。尚、図１はヒータ制御部のシステムブロック図であり、図２は厨芥処理機の全体図である。
【００１３】
有機廃棄物を投入する収容槽１１と、前記収容槽１１内の有機廃棄物を加熱するための６本の厨芥加熱ヒータ１ａ〜１ｆと、前記収容槽１１内の温度を検出するための庫内温度センサ１２と、前記収容槽１１内の有機廃棄物から発生する蒸気を排気する際に、その蒸気の脱臭を行う為の酸化触媒４と、前記酸化触媒４の加熱を行うための３本の触媒加熱ヒータ３ａ〜３ｃと、前記酸化触媒４の温度を検出するための触媒温度センサ１３を有している。
【００１４】
前記厨芥加熱ヒータ１ａ〜１ｆは２本ずつデルタ結線され、Ｕ、Ｖ、Ｗの各相間に第１のコネクタ２を介して配置されており、トライアック５ａ、５ｂ、５ｃを介して商用電源７から電力が供給されている。更に前記触媒加熱ヒータ３ａ〜３Ｃは１本ずつデルタ結線され、Ｕ、Ｖ、Ｗの各相間に第２のコネクタ４を介して配置されており、トライアック６ａ、６ｂ、６ｃを介して商用電源７から電力が供給されている。前記各トライアック５ａ〜５ｃ、６ａ〜６ｃ及び各温度センサは運転制御装置８に連結され、前記運転制御装置８は、各センサーからの入力に応じて各ヒータの温度調整を行う。
【００１５】
更にＵ相電圧のゼロクロス点でパルスを出力するＵ同期回路９とＶ−Ｗ相間電圧のゼロクロス点でパルスを出力するためのＶ−Ｗ同期回路１０が前記運転制御装置８に連結されており、前記運転制御装置８はそれらのパルスに同期して各トライアック５ａ〜５ｃ及び６ａ〜６ｂのオン・オフを行えるように構成されている。
【００１６】
庫内温度センサ１２が所定の温度未満である場合には、厨芥加熱ヒータ１ａ〜１ｆをオンして庫内の温度を上昇させる。この時、まず最初にトライアック５ｃをオンする。トライアック５ａ〜５ｃが全てオフの場合、どのトライアックにも電圧はかかっていない為、最初にオンするトライアックは任意のタイミングでオンしても問題ない。次にＶ−Ｗ同期回路１０のパルスに同期してトライアック５ｂをオンする（トライアック５ｃのみオンしている状態では、トライアック５ｂの両端にはＶ−Ｗ相間の電圧がかかっているためＶ−Ｗ相間電圧の交流波形のゼロクロスに同期してトライアック５ｂをオンする）。
【００１７】
最後にＵ同期回路９のパルスに同期してトライアック５ａをオンする（トライアック５ｂと５ｃがオンしている状態では、トライアック５ａの両端にはＵ相の電位とＶ−Ｗ相間の電位差がかかっており、その交流波形の位相はＵ相電圧の交流波形と１８０°ずれた位相となるため、Ｕ相電圧の交流波形のゼロクロスに同期してトライアック５ａをオンすれば問題ない）。
【００１８】
同様に触媒加熱ヒータ３ａ〜３ｃのオンの際にもまず最初にトライアック６ｃをオンし、次にＶ−Ｗ同期回路１０のパルスに同期してトライアック６ｂをオンし、最後にＵ同期回路９のパルスに同期してトライアック６ａをオンするように制御されている。
【００１９】
上記構成による作用は以下の通りである。
【００２０】
ヒータをデルタ結線しているため、１本でもヒータが正常であれば、そのヒータをオンして収容槽１１内の厨芥の処理を進ませることができ、効率の良いヒータ制御ができる。又、各トライアックをそのゼロクロスに同期してオンするため、雑音の発生を抑え、電源をきれいな状態に保ちつつ電力効率の良い制御が行えるものである。更に、ヒータ交換の際にはコネクタ２又はコネクタ４から各ヒータのみを取り外して交換することが可能であり、組立作業性・メンテナンス性の高い商品を提供できる。
【００２１】
尚、トライアック５ｂをオンした時から時間を計時し、所定時間経過後にトライアック５ａをオンするような制御にした場合、若干精度は低下するが、安価な回路構成で上記とほぼ同等の結果が得られることは明らかである。
【００２２】
更に、トライアック５ｃ及びトライアック６ｃを削除してショートした場合においても、三相の平衡率が若干低下するだけで、安価な回路構成で上記とほぼ同様の効果が得られることは明らかである。
【００２３】
【発明の効果】
以上のように本発明によれば、三相電源を用いた厨芥処理機において、その乾燥用ヒータをデルタ結線することにより効率が良いヒータ制御を行えるとともに、故障に強い厨芥処理機を提供できる。
【図面の簡単な説明】
【図１】本発明の一実施例におけるヒータ制御部構成を示すシステムブロック図
【図２】同厨芥処理機の全体図
【符号の説明】
１ａ  厨芥加熱ヒータ１
１ｂ  厨芥加熱ヒータ２
１ｃ  厨芥加熱ヒータ３
１ｄ  厨芥加熱ヒータ４
１ｅ  厨芥加熱ヒータ５
１ｆ  厨芥加熱ヒータ６
３ａ  触媒加熱ヒータ１
３ｂ  触媒加熱ヒータ２
３ｃ  触媒加熱ヒータ３
５ａ  厨芥加熱ヒータ用トライアック１
５ｂ  厨芥加熱ヒータ用トライアック２
５ｃ  厨芥加熱ヒータ用トライアック３
６ａ  触媒加熱ヒータ用トライアック１
６ｂ  触媒加熱ヒータ用トライアック２
６ｃ  触媒加熱ヒータ用トライアック
【図１】
2004249224.tif 000003
【図２】
2004249224.tif 000004